(57)【要約】【課題】製品寸法を抑えつつインピーダンスの制御を容易化できるコネクタを提供し、併せて、ハウジングの破壊を有効に抑制できるコネクタを提供する。【解決手段】コネクタハウジング１１にそれぞれ対応する相手側端子との接触面を有する複数の端子を互いに離間させて装着したコネクタであって、複数の端子１２〜１６が、グランド端子１５、１６と、グランド端子１５、１６を間に挟んで接触面方向に離間するよう並列配置された複数の信号端子１２、１３、１４とを含み、グランド端子１５、１６は、複数の信号端子１２、１３、１４同士の離間方向に対し交差する板面１５ａ、１６ａを有する導体板によって構成されている。【選択図】図１
2019121439.tif 000002
【特許請求の範囲】
【請求項１】
コネクタハウジングにそれぞれ対応する複数の相手側端子との接触面を有する複数の端子を互いに離間させて装着したコネクタであって、
前記複数の端子が、グランド端子と、該グランド端子を間に挟んで前記接触面の方向に離間するよう並列配置された複数の信号端子とを含み、
前記グランド端子は、前記複数の信号端子同士の離間方向に対し交差する板面を有する導体板によって構成されていることを特徴とするコネクタ。
【請求項２】
前記複数の信号端子が、前記複数の相手側端子との凹凸嵌合面形状に対応する曲げ形状をなし、
前記グランド端子が、前記複数の相手側端子との凹凸嵌合深さの全域に及ぶ板面を有することを特徴とする請求項１に記載のコネクタ。
【請求項３】
前記グランド端子が、前記複数の信号端子の前記接触面に対し直交する板面を有していることを特徴とする請求項１または２に記載のコネクタ。
【請求項４】
前記コネクタハウジングが、前記複数の端子を一体に保持する絶縁部材と、前記絶縁部材の外周側で前記複数の端子の離間方向に延びるシェル状導体と、を有していることを特徴とする請求項１ないし３のいずれか１項に記載のコネクタ。
【請求項５】
前記シェル状導体が、前記絶縁部材の外周側で全周にわたって連続する囲繞形状を有していることを特徴とする請求項４に記載のコネクタ。
【発明の詳細な説明】
【技術分野】
【０００１】
本発明は、コネクタに関し、擬似同軸構造のコネクタに関する。
【背景技術】
【０００２】
従来、良好な信号伝送特性が要求される高周波信号等の信号伝送用に、平板状でありながら伝送特性を高める、いわゆる擬似同軸構造を有するコネクタが使用されている。
【０００３】
この種のコネクタとしては、雌雄のコネクタハウジングにそれぞれ並列に装着された複数の接続端子（グランド端子および信号端子）を備え、複数のうち中央のグランド端子を接地電位に接続することで、嵌合状態において複数のうち両側の信号端子を接地電位のグランドで囲んだコプレーナ構造にしたものが知られている（例えば、特許文献１参照）。
【０００４】
このようなコネクタでは、信号端子のインピーダンスを安定させ得るという利点がある。
【先行技術文献】
【特許文献】
【０００５】
【特許文献１】特許第６１６７９９７号公報
【発明の概要】
【発明が解決しようとする課題】
【０００６】
しかしながら、上述のような従来のコネクタにあっては、複数の信号端子およびグランド端子がすべて導体の板材を曲げた同一形状部品で構成され、それらが並列配置される構成となっていたため、複数の端子（実装基板側の配線パターン）の幅や配設ピッチを拡げるようなコネクタの設計自由度が制限されていた。そのため、信号端子のインピーダンスの制御が難しいことに加えて、製品寸法が大きくなってしまうという問題があった。
【０００７】
また、従来のコネクタでは、コネクタハウジングの絶縁樹脂部に対して、同一形状の複数の信号端子およびグランド端子を並列に挿入する構成であったため、絶縁樹脂部に対する全端子の挿入に伴う応力がすべて同一方向に作用することになり、絶縁樹脂部に割れ等の破損が生じることが懸念されていた。
【０００８】
さらに、従来のコネクタでは、雌雄のコネクタハウジングの外周側にそれぞれシェル状の固定端子が設けられているものの、両固定端子のいずれもコネクタハウジングの全周に及ぶ囲繞形状ではないため、前述のような絶縁樹脂部の割れ等の破損を有効に防止することができないという問題もあった。
【０００９】
そこで、本発明は、製品寸法を大きくすることなくインピーダンスの制御を容易にすることができるコネクタを提供することを目的とし、併せて、ハウジングの破壊を有効に抑制することができるコネクタを提供することを目的とする。
【課題を解決するための手段】
【００１０】
本発明に係るコネクタは、上記目的達成のため、コネクタハウジングにそれぞれ対応する複数の相手側端子との接触面を有する複数の端子を互いに離間させて装着したコネクタであって、前記複数の端子が、グランド端子と、該グランド端子を間に挟んで前記接触面の方向に離間するよう並列配置された複数の信号端子とを含み、前記グランド端子は、前記複数の信号端子同士の離間方向に対し交差する板面を有する導体板によって構成されているものである。
【００１１】
この構成により、複数の信号端子の間でグランド端子が占める離間方向の寸法が、板幅でなく板厚かそれに近い寸法程度に狭めることができ、信号端子の幅や間隔をインピーダンス制御に好適な程度に広くすることができ、伝送特性に優れたコネクタにできる。
【００１２】
本発明に係るコネクタは、前記複数の信号端子が、前記複数の相手側端子との凹凸嵌合面形状に対応する曲げ形状をなし、前記グランド端子が、前記複数の相手側端子との凹凸嵌合深さの全域に及ぶ板面を有する構成とすることができる。
【００１３】
この構成により、隣り合う複数の信号端子の間の接触面が、複数の相手側端子との凹凸嵌合形状に対応して曲がっていても、その凹凸深さの全域にわたってグランド端子の板面による遮蔽機能を担保できる。
【００１４】
本発明に係るコネクタは、前記グランド端子が、前記複数の信号端子の前記接触面に対し直交する板面を有している構成とすることもできる。この場合、隣り合う信号端子がグランド端子の板面に対し対称に配置されることとなる。
【００１５】
本発明に係るコネクタは、前記コネクタハウジングが、前記複数の端子を一体に保持する絶縁部材と、前記絶縁部材の外周側で前記複数の端子の離間方向に延びるシェル状導体とを有している。この場合、擬似同軸構造による伝送特性の向上が期待できるとともに、絶縁部材の割れ等を有効に抑制可能となる。
【００１６】
本発明に係るコネクタは、前記シェル状導体が、前記絶縁部材の外周側で全周にわたって連続する囲繞形状を有している。この場合、擬似同軸構造による伝送特性の向上と絶縁部材の割れ等の抑制機能がより高まることとなる。
【発明の効果】
【００１７】
本発明によれば、製品寸法を大きくすることなくインピーダンスの制御を容易にすることができるコネクタを提供することができ、併せて、ハウジングの破壊を有効に抑制することができるコネクタを提供することができる。
【図面の簡単な説明】
【００１８】
【図１】本発明の第１実施形態に係るコネクタを雌雄コネクタセットの一方側であるレセプタクルとして構成した一例の概略構成を示すその平面図である。
【図２】（ａ）は本発明の第１実施形態に係るコネクタをグランド端子のリード側斜上方から見た斜視図であり、（ｂ）は同コネクタを信号端子のリード側斜上方から見た斜視図である。
【図３】（ａ）は図１のＩＩＩＡ−ＩＩＩＡ矢視断面図であり、（ｂ）は本発明の第１実施形態に係るコネクタを信号端子のリード側から見た正面図である。
【図４】（ａ）は図１のＩＶＡ−ＩＶＡ矢視断面図であり、（ｂ）は図１のＩＶＢ−ＩＶＢ矢視断面図であり、（ｃ）は図１のＩＶＡ矢視およびＩＶＢ矢視方向に見た本発明の第１実施形態に係るコネクタの右側面図である。
【図５】本発明の第１実施形態に係るコネクタの下面図である。
【図６】本発明の第１実施形態に係るコネクタを含む雌雄コネクタセットの雌雄嵌合状態を図４（ｂ）に対応する断面位置で示す嵌合部横断面図である。
【図７】本発明の第１実施形態に係るコネクの複数の信号端子の並列状態を上面視したその配置説明図である。
【図８】（ａ）は本発明の第１実施形態に係るコネクの複数の信号端子を図２（ａ）に対応する矢視方向から見た斜視図であり、（ｂ）は同コネクタを図２（ｂ）に対応する矢視方向から見た斜視図である。
【図９】（ａ）は本発明の第１実施形態に係るコネクタを含む雌雄コネクタセットの他方側であるプラグの嵌合部位をその複数の信号端子のリード側から見た斜視図であり、（ｂ）は同コネクタを含む雌雄コネクタセットの他方側であるプラグの嵌合部位をその複数のグランド端子のリード側から見た斜視図である。
【図１０】本発明の第１実施形態に係るコネクタを含む雌雄コネクタセットのプラグの内面側を示す下面図である。
【図１１】（ａ）は図１０のＸＩＡ−ＸＩＡ矢視断面図であり、（ｂ）は図１０のＸＩＢ−ＸＩＢ矢視断面図であり、（ｃ）は図１０のＸＩＣ−ＸＩＣ矢視断面図である。
【図１２】本発明の第１実施形態に係るコネクタを含む雌雄コネクタセットの基板側のランドパターンの配置説明図であり、（ａ）はそのプラグ側基板のランドパターンの配置説明図、（ｂ）はそのレセプタクル側基板のランドパターンの配置説明図である。
【図１３】本発明の第２実施形態に係るコネクタを雌雄コネクタセットの一方側であるレセプタクルとして構成した一例の概略構成を示すその平面図である。
【図１４】（ａ）は本発明の第２実施形態に係るコネクタをグランド端子のリード側斜上方から見た斜視図であり、（ｂ）は同コネクタを信号端子のリード側斜上方から見た斜視図である。
【図１５】（ａ）は図１３のＸＶＡ−ＸＶＡ矢視断面図であり、（ｂ）は本発明の第２実施形態に係るコネクタを信号端子のリード側から見た正面図である。
【図１６】（ａ）は図１３のＸＶＩＡ−ＸＶＩＡ矢視断面図であり、（ｂ）は図１３のＸＶＩＡ矢視方向に見た本発明の第２実施形態に係るコネクタの右側面図である。
【発明を実施するための形態】
【００１９】
以下、本発明の好ましい実施形態について、図面を参照しつつ説明する。
【００２０】
（第１実施形態）
図１ないし図１２は、本発明の第１実施形態に係るコネクタを含む雌雄コネクタセットの構成を示している。
【００２１】
まず、その構成について説明する。
【００２２】
図１に示すように、本実施形態のコネクタは、雌雄のコネクタセットのうち雌側であるレセプタクル１０として構成されており、雄側である後述のプラグ５０（図９参照）と凹凸嵌合しつつ対応する雌雄の信号端子の接触面同士を所定の接触圧で導通接触させるようになっている。
【００２３】
図１ないし図６に示すように、レセプタクル１０は、コネクタハウジング１１に信号端子１２、１３、１４およびグランド端子１５、１６（以下、複数の端子１２〜１６ともいう）を、同一平面的にかつ互いに所定間隔に離間させて装着したものある。
【００２４】
図２（ａ）および図２（ｂ）に示すように、コネクタハウジング１１は、平板状のインシュレータ（絶縁性部材）で、例えば熱可塑性樹脂により射出成形されている。このコネクタハウジング１１は、複数の信号端子挿入孔１１ａ、１１ｂ、１１ｃと、グランド端子挿入孔１１ｄ、１１ｅと、中央の嵌合部挿入孔１１ｆとを有している。
【００２５】
図７および図８に示すように、複数の端子１２〜１６のうち接触端子である信号端子１２〜１４は、それぞれ導体板、例えば銅合金製の板材を略帯状の同一形状に打ち抜き加工するとともに、板厚方向に曲げ加工して、両図および図４（ｂ）に示すような湾曲形状に成形したものである。
【００２６】
そして、複数の信号端子１２〜１４のそれぞれの板面によって、後述する信号端子５２、５３、５４（対応する相手側端子）との凹凸嵌合面である接触面１２ａ、１２ｂ、１３ａ、１３ｂ、１４ａ、１４ｂが形成されるとともに、実装基板側に接続可能な接続端部１２ｃ、１３ｃ、１４ｃが形成されている。
【００２７】
図１ないし図４に示すように、複数の信号端子１２〜１４は、複数、例えば一対のグランド端子１５、１６を間に挟んで、図１中の左右方向に互いに隣り合っている。
【００２８】
これら一対のグランド端子１５、１６は、それぞれ導体板、例えば銅合金製の板材を図４（ａ）に示すような略同一の端子形状に打ち抜き加工したものであり、それぞれの長手方向を図１中の上下に向けて、それぞれの板面が平行になるように並列配置されている。
【００２９】
また、複数の信号端子１２、１３、１４は、複数の信号端子挿入孔１１ａ、１１ｂ、１１ｃに挿入、例えば圧入された嵌合部１２ｄ、１３ｄ、１４ｄを有しており、それぞれの接触面１２ａ、１２ｂ、１３ａ、１３ｂ、１４ａ、１４ｂを、コネクタハウジング１１の中央の嵌合部挿入孔１１ｆの両内側面から所定の内突高さで露出させている。そして、コネクタハウジング１１の嵌合部挿入孔１１ｆおよびそこに露出する複数の信号端子１２、１３、１４によって、レセプタクル１０側の凹状嵌合部分１０ｒが構成されている。
【００３０】
一方、複数のグランド端子１５、１６は、コネクタハウジング１１のグランド端子挿入孔１１ｄ、１１ｅに挿入、例えば圧入された嵌合状態で、レセプタクル１０側の凹状嵌合部分１０ｒ内を３区画に区分するように横断するとともに、複数の信号端子１２〜１４の接触面１２ａ、１２ｂ、１３ａ、１３ｂ、１４ａ、１４ｂの面方向に相互に離間している。
【００３１】
また、複数のグランド端子１５、１６は、複数の信号端子１２〜１４同士の離間方向（図１の左右方向）である接触面１２ａ、１２ｂ、１３ａ、１３ｂ、１４ａ、１４ｂの面方向に対し交差、例えば直交する板面１５ａ、１６ａと、実装基板側への接続端部１５ｃ、１６ｃとを有している。
【００３２】
また、前述のように、複数の信号端子１２〜１４は、雌雄のコネクタハウジング１１等の凹凸嵌合面形状、すなわちレセプタクル１０側の凹状嵌合部分１０ｒに対応する曲げ形状をなしているが、複数のグランド端子１５、１６の板面１５ａ、１６ａは、そのレセプタクル１０側の凹状嵌合部分１０ｒの凹凸嵌合深さの全域に及んでいる。
【００３３】
図９ないし図１１に示すように、プラグ５０は、コネクタハウジング５１に複数の端子である信号端子５２、５３、５４の接触面５２ａ、５２ｂ、５３ａ、５３ｂ、５４ａ、５４ｂを互いに所定間隔に離間させるように装着したものであり、例えばインサート成形樹脂部５５（絶縁部材）を有するようにインサート成形されている。
【００３４】
このプラグ５０は、レセプタクル１０の凹状嵌合部分１０ｒに対応する凸状嵌合部分５０ｐを有しており、凸状嵌合部分５０ｐは、インサート成形樹脂部５５の中央部に整列配置された複数の突出部５５ａ、５５ｂ、５５ｃの両側面から所定の外突高さで、複数の信号端子５２〜５４の接触面５２ａ、５２ｂ、５３ａ、５３ｂ、５４ａ、５４ｂを露出させている。プラグ５０は、さらに、凸状嵌合部分５０ｐの周囲にレセプタクル１０の凹状嵌合部分１０ｒの開口周辺部分を収納する凹部５７とそれを取り囲む周壁部５８とを有している。
【００３５】
また、コネクタハウジング５１は、複数の端子５２、５３、５４を一体に保持するインサート成形樹脂部５５（絶縁部材）に加えて、インサート成形樹脂部５５の外周側で少なくとも複数の信号端子５２〜５４の離間方向に延びるシェル状導体５６を、周壁部５８の一部として一体に有している。
【００３６】
本実施形態の雌雄のコネクタセットにおいては、シェル状導体１７は、コネクタハウジング１１の外周側で周方向に連続する略長方形の環状をなしており、シェル状導体５６は、略インサート成形樹脂部５５の外周側で周壁部５８の内周に沿って延びている。
【００３７】
具体的には、レセプタクル１０のシェル状導体１７は、複数の端子１２ないし１６が挿入されるコネクタハウジング１１に対して、例えばインサート成形により一体に装着されている。そして、このシェル状導体１７は、板状の絶縁部材であるコネクタハウジング１１の外周側で全周にわたって略方形枠状に連続し、コネクタハウジング１１の上面外周および側面上部を取り囲む囲繞形状をなしている。
【００３８】
また、プラグ５０のシェル状導体５６は、両側辺に複数の突出部を有する帯状体を周壁部５８の内周に沿う形状に略長方形に曲げ加工されて、コネクタハウジング５１の一部としてインサート成形され、インサート成形樹脂部５５と一体化されている。
【００３９】
すなわち、本実施形態においては、雌雄のコネクタハウジング１１、５１の少なくとも一方、例えばその双方が、複数の端子１２ないし１６を一体に保持する絶縁部材としてのコネクタハウジング１１と、複数の端子５２ないし５４を一体に保持する絶縁部材としてのインサート成形樹脂部５５と、コネクタハウジング１１の外周側で少なくとも複数の端子の離間方向に延びる例えば銅合金からなるシェル状導体１７と、インサート成形樹脂部５５の外周側で少なくとも複数の信号端子５２〜５４の離間方向に延びる例えば銅合金からなるシェル状導体５６とを有している。
【００４０】
図１２（ａ）は、本実施形態のレセプタクル１０を含む雌雄のコネクタセットのうちプラグ５０を実装する第１の基板６１側の複数組のランド６１ａ、６１ｂ、６１ｃの配置パターンを示しており、図１２（ｂ）は、本実施形態のレセプタクル１０を実装する第２の基板６２側の複数組のランド６２ａ、６２ｂ、６２ｃの配置パターンを示している。
【００４１】
図１２中に詳細を図示しないが、第１の基板６１の複数組のランド６１ａ（図１２（ａ）中３つのランド６１ａ）には、対応するそれぞれの帯状の信号配線が接続されており、第２の基板６２の複数組のランド６２ａ（図１２（ｂ）中３つのランド６２ａ）には、対応するそれぞれの帯状の信号配線が接続されている。
【００４２】
そして、第１の基板６１の複数組のランド６１ａには、レセプタクル１０の複数の信号端子１２〜１４が接続され、第２の基板６２の複数組のランド６２ａには、プラグ５０の複数の信号端子５２〜５４が接続される。
【００４３】
また、レセプタクル１０のシェル状導体１７には、第１の基板６１側の複数組のうちグランド側のランド６１ｂに接続する長手方向両端側の接続部１７ｂと、複数組のうちグランド側のランド６１ｃにグランド端子１５、１６と共に接続するリード側の接続部１７ｃとが設けられている。そして、プラグ５０のシェル状導体５６には、第２の基板６２側の複数組のうちグランド側のランド６２ｂ、６２ｃに接続する接続部５６ｂ、５６ｃが設けられている。
【００４４】
次に、作用について説明する。
【００４５】
上述のように構成された本実施形態の雌雄のコネクタセットにおいては、レセプタクル１０の複数の端子１２〜１６が、複数の信号端子１２〜１４およびグランド端子１５、１６を含み、グランド端子１５、１６が、複数の信号端子１２〜１４同士の離間方向に対し直交する板面１５ａ、１６ａを有する導体板によって構成されている。
【００４６】
したがって、複数の信号端子１２〜１４の間でグランド端子１５、１６が占める離間方向（図１の左右方向）の寸法が、その板材の幅でなく板厚かそれに近い寸法程度に狭めることができる。
【００４７】
よって、複数の信号端子１２〜１４の隣り合う方向（離間方向）におけるグランド端子１５、１６の幅が板厚程度に縮小されることで、第１の基板６１の複数組のランド６１ａおよび第２の基板６２の複数組のランド６２ａに接続する信号配線パターンを、信号線幅が広くかつその間隔も広いものにできることとなる。
【００４８】
その結果、製品寸法を大きくすることなく、複数の信号端子１２〜１４およびグランド端子１５、１６のすべてを同一形状の導体部品で構成する場合に比べると、複数の端子１２〜１６および実装基板側の配線パターンの幅やその配設ピッチを拡げるようなコネクタの設計自由度が高まることになる。そのため、信号端子のインピーダンスの制御が容易化されることに加えて、製品寸法が大きくなってしまうという問題が解消されることとなる。
【００４９】
また、本実施形態では、複数の信号端子１２〜１４および５２〜５４が、雌雄のコネクタハウジング１１、５１の凹凸嵌合面形状である凹状嵌合部分１０ｒに対応する曲げ形状をなし、グランド端子１５、１６が、凹状嵌合部分１０ｒの凹凸嵌合深さの全域に及ぶ板面１５ａ、１６ａを有している。
【００５０】
したがって、隣り合う複数の信号端子１２〜１４および５２〜５４の間の接触面１２ａ、１２ｂ等および接触面５２ａ〜５４ａが、雌雄のコネクタハウジング１１、５１の凹凸嵌合形状に対応して曲がっていても、その凹凸深さの全域にわたってグランド端子１５、１６の板面１５ａ、１６ａによる遮蔽機能を担保できる。
【００５１】
さらに、本実施形態では、複数の信号端子１２〜１４および５２〜５４のうち隣り合う各一対がそれぞれグランド端子の板面１５ａ、１６ａに対し対称に配置されることとなるので、インピーダンス制御により好適な端子配置となる。
【００５２】
加えて、本実施形態では、雌雄のコネクタハウジング１１、５１の少なくとも一方、例えばレセプタクル１０は、複数の端子１２〜１６を嵌合状態で一体に保持する絶縁部材としてのコネクタハウジング１１が、その外周側で複数の端子１２〜１６の離間方向に延びるシェル状導体１７を有している。
【００５３】
したがって、レセプタクル１０において、擬似同軸構造による伝送特性の向上が期待できるとともに、コネクタハウジング１１の割れ等を有効に抑制できることとなる。
【００５４】
また、本実施形態では、シェル状導体１７が、コネクタハウジング１１の外周側で全周にわたって連続する囲繞形状を有しているので、コネクタハウジング１１に対する複数の信号端子１２〜１４の離間方向における嵌合幅および離間間隔に対して、グランド端子１５、１６の嵌合幅が小さく、かつ、離間間隔が大きくなる。しかも、複数の信号端子１２〜１４の挿入（例えば圧入）による応力の作用方向とグランド端子１５、１６の挿入（例えば圧入）による応力の作用方向とが直交することで、隣り合う各一対の信号端子１２、１３間や１３、１４間において、グランド端子１５、１６の挿入部により応力が緩和されることになり、割れ等による破壊が有効に抑制されることとなる。
【００５５】
このように、本実施形態においては、レセプタクル１０およびプラグ５０を含む雌雄のコネクタセットにおいて、その製品寸法を大きくすることなくインピーダンスの制御を容易にすることができ、併せて、そのコネクタハウジング１１、５１の破壊を有効に抑制することで、擬似同軸構造による伝送特性の向上に加えて、絶縁部材であるコネクタハウジング１１等の割れ等の抑制機能をより高めることができるものである。
【００５６】
（第２実施形態）
図１３ないし図１６は、本発明の第２実施形態に係るコネクタを含む雌雄コネクタセットの構成を示している。
【００５７】
なお、本実施形態は、前述の第１実施形態と略同様の構成を有するもので、そのレセプタクル１０およびプラグ５０に対し、シェル状導体１７およびシェル状導体５６の形状が相違している。
【００５８】
すなわち、前述の第１実施形態では、レセプタクル１０において、コネクタハウジング１１の外周側で少なくとも端子離間方向に延びるシェル状導体１７を有していたが、その隅部の曲げ加工上の加工硬化等を考慮した切欠き１７ｉが形成されていた。
【００５９】
しかし、本実施形態では、シェル状導体１７の材料や加工方法を変更することで、そのような切欠きをなくすものとしている。
【００６０】
このようにすると、前述の第１実施形態と同様の効果が得られるのに加えて、グランド接続されるシェル状導体１７、５６の静電遮蔽性等をより高めることができる。
【００６１】
なお、上述の各実施形態においては、レセプタクル１０のグランド端子１５、１６が複数の信号端子１２〜１４とプラグ５０の複数の信号端子５２〜５４との嵌合深さ領域の全域に及び、かつ、それらの凹凸嵌合面に対して直交する配置および形状としたが、凹凸嵌合面に対して傾斜していてもよい。
【００６２】
また、コネクタハウジング１１やインサート成形樹脂部５５の樹脂材料が特に制限されないこと、グランド端子１５、１６や複数の信号端子１２〜１４および５２〜５４の数や素材が特に制限されないこと、シェル状導体１７、５６の形状や素材が特に制限されないことは、勿論である。
【００６３】
もっとも、シェル状導体１７の形状は、レセプタクル１０の凹状嵌合部分１０ｒとプラグ５０の凸状嵌合部分５０ｐとの導通接触部分の深さ程度以上の高さに及ぶものであり、シェル状導体５６の高さも同程度以上であるのがよい。そして、例えばプラグ５０が実装されるシールド板付の基板や接続部品等と相俟って、所要の擬似同軸構造のシールドを構成することができる。したがって、プラグ５０側は、同軸ケーブルの接続端末部にシールド板を装着した程度で、外周部５８を有するソケット形状を有していなくてもよい。
【００６４】
以上説明したように、本発明に係るコネクタは、製品寸法を大きくすることなくインピーダンスの制御を容易にすることができるコネクタを提供し、併せて、ハウジングの破壊を有効に抑制することができるコネクタを提供することができるものであり、高周波信号等の信号伝送に好適な程度に伝送特性を高め得るいわゆる擬似同軸構造のコネクタ全般に有用である。
【符号の説明】
【００６５】
１０  レセプタクル（コネクタ）
１０ｒ  凹状嵌合部分
１１、５１  コネクタハウジング
１１ａ、１１ｂ、１１ｃ  信号端子挿入孔
１１ｄ、１１ｅ  グランド端子挿入孔
１１ｆ  嵌合部挿入孔
１２、１３、１４  信号端子（複数の端子、接触端子）
１２ａ、１２ｂ、１３ａ、１３ｂ、１４ａ、１４ｂ  接触面
１２ｃ、１３ｃ、１４ｃ  接続端部
１２ｄ、１３ｄ、１４ｄ  嵌合部
１５、１６  グランド端子（複数の端子）
１５ａ、１６ａ  板面
１５ｃ、１６ｃ  接続端部
１７、５６  シェル状導体
１７ｂ、１７ｃ  接続部
５０  プラグ
５０ｐ  凸状嵌合部分
５２、５３、５４  信号端子
５２ａ、５２ｂ、５３ａ、５３ｂ、５４ａ、５４ｂ  接触面
５５  インサート成形樹脂部
５５ａ、５５ｂ、５５ｃ  突出部
５６ｂ、５６ｃ  接続部
５７  凹部
５８  周壁部
６１  第１の基板
６１ａ、６１ｂ、６１ｃ、６２ａ、６２ｂ、６２ｃ  ランド
６２  第２の基板
【図１】
2019121439.tif 000003
【図２】
2019121439.tif 000004
【図３】
2019121439.tif 000005
【図４】
2019121439.tif 000006
【図５】
2019121439.tif 000007
【図６】
2019121439.tif 000008
【図７】
2019121439.tif 000009
【図８】
2019121439.tif 000010
【図９】
2019121439.tif 000011
【図１０】
2019121439.tif 000012
【図１１】
2019121439.tif 000013
【図１２】
2019121439.tif 000014
【図１３】
2019121439.tif 000015
【図１４】
2019121439.tif 000016
【図１５】
2019121439.tif 000017
【図１６】
2019121439.tif 000018